【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
（ａ）酸またはラジカル開始化学反応を受けることができる少なくとも１つの反応性種と、
（ｂ）（１）２つ以上の光子の吸収によって達成可能である少なくとも１つの電子励起状態を有する半導体ナノ粒子量子ドットの少なくとも１つのタイプと、
（２）前記半導体ナノ粒子量子ドットの前記励起状態と相互作用して少なくとも１つの反応開始種を形成することができる、前記反応性種と異なった組成物と、の光化学的に有効な量を含む光開始剤系と、を含む光反応性組成物。
【請求項２】
（ａ）ラジカル開始化学反応を受けることができる少なくとも１つの硬化性種と、
（ｂ）（１）２つ以上の光子の同時吸収によって達成可能である少なくとも１つの電子励起状態を有する少なくとも１つのコアー／シェル半導体ナノ粒子量子ドットと、
（２）前記半導体ナノ粒子量子ドットの前記励起状態と相互作用して少なくとも１つの反応開始種を形成することができる組成物と、の光化学的に有効な量を含む光開始剤系と、を含む光反応性組成物。
【請求項３】
前記半導体ナノ粒子量子ドットの前記励起状態と相互作用して少なくとも１つの反応開始種を形成することができる組成物が、（ａ）前記半導体ナノ粒子量子ドットのアップ変換電子発光バンドと重なる電子吸収バンドを有する少なくとも１つの一光子光開始剤、または（ｂ）少なくとも１つの電子供与体化合物および／または少なくとも１つの電子受容体化合物を含む、請求項２に記載の光反応性組成物。
【請求項４】
前記半導体ナノ粒子量子ドットの前記励起状態と相互作用して少なくとも１つの反応開始種を形成することができる組成物が、前記反応性種と異なっている、請求項２に記載の光反応性組成物。
【請求項５】
請求項１または２に記載の光反応性組成物の反応から得られる組成物。
【請求項６】
請求項５に記載の組成物を含む物品。
【手続補正２】
【補正対象書類名】明細書
【補正対象項目名】０１３６
【補正方法】変更
【補正の内容】
【０１３６】
この発明に対する様々な改良及び変更が、この発明の範囲及び精神から逸脱することなく実施できることは、当業者には明らかであろう。この発明は、本明細書に示した具体的な実施態様及び実施例によって不当に制限することを意図するものではなく、これらの実施例及び実施態様は例として示されるにすぎず、本発明の範囲は、本明細書に記載した特許請求の範囲によってのみ制限されることを意図することが理解されなければならない。
本発明及びそれに関連する態様としては、以下のものがある。
本発明は、その第一の態様として、（ａ）酸またはラジカル開始化学反応を受けることができる少なくとも１つの反応性種と、（ｂ）（１）２つ以上の光子の吸収によって達成可能である少なくとも１つの電子励起状態を有する半導体ナノ粒子量子ドットの少なくとも１つのタイプと、（２）前記半導体ナノ粒子量子ドットの前記励起状態と相互作用して少なくとも１つの反応開始種を形成することができる、前記反応性種と異なった組成物と、の光化学的に有効な量を含む光開始剤系と、を含む光反応性組成物に関する。
本発明は、その第二の態様として、前記第一の態様において、前記反応性種が硬化性種である光反応性組成物に関する。
本発明は、その第三の態様として、前記第二の態様において、前記硬化性種が、モノマー、オリゴマー、反応性ポリマー、およびそれらの混合物からなる群から選択される光反応性組成物に関する。
本発明は、その第四の態様として、前記第三の態様において、  前記硬化性種が、付加重合性モノマーおよびオリゴマー、付加架橋性ポリマー、カチオン重合性モノマーおよびオリゴマー、カチオン架橋性ポリマー、およびそれらの混合物からなる群から選択される光反応性組成物に関する。
本発明は、その第五の態様として、前記第一の態様において、前記反応性種が非硬化性種である光反応性組成物に関する。
本発明は、その第六の態様として、前記第一の態様において、前記反応性種がラジカル開始化学反応を受けることができる光反応性組成物に関する。
本発明は、その第七の態様として、前記第一の態様において、前記半導体ナノ粒子量子ドットが、ＩＶ族、ＩＩＩ−Ｖ族、ＩＩ−ＶＩ族、およびＩ−ＶＩＩ族の半導体からなる群から選択される半導体を含む光反応性組成物に関する。
本発明は、その第八の態様として、前記第七の態様において、前記半導体がＩＶ族またはＩＩ−ＶＩ族半導体である光反応性組成物に関する。
本発明は、その第九の態様として、前記第八の態様において、前記半導体がＩＩ−ＶＩ族半導体である光反応性組成物に関する。
本発明は、その第十の態様として、前記第九の態様において、前記半導体が亜鉛またはカドミウムを含む光反応性組成物に関する。
本発明は、その第十一の態様として、前記第一の態様において、前記半導体ナノ粒子量子ドットが約１．５ｎｍ〜約３０ｎｍの範囲の平均直径を有する光反応性組成物に関する。
本発明は、その第十二の態様として、前記第一の態様において、前記半導体ナノ粒子量子ドットが、前記半導体の励起子ボーア半径以下の平均半径を有する光反応性組成物に関する。
本発明は、その第十三の態様として、前記第一の態様において、前記半導体ナノ粒子量子ドットが、前記半導体ナノ粒子量子ドットと前記反応性種とを相溶化させるのに役立つ表面に付着または表面に結合した有機基を有する光反応性組成物に関する。
本発明は、その第十四の態様として、前記第一の態様において、前記半導体ナノ粒子量子ドットがコアー／シェル半導体ナノ粒子量子ドットである光反応性組成物に関する。
本発明は、その第十五の態様として、前記第一の態様において、前記半導体ナノ粒子量子ドットが、２つ以上の光子の同時吸収によって達成可能である少なくとも１つの電子励起状態を有する光反応性組成物に関する。
本発明は、その第十六の態様として、前記第一の態様において、前記半導体ナノ粒子量子ドットの前記励起状態と相互作用して少なくとも１つの反応開始種を形成することができる前記組成物が、（ａ）前記半導体ナノ粒子量子ドットのアップ変換電子発光バンドと重なる電子吸収バンドを有する少なくとも１つの一光子光開始剤、または（ｂ）少なくとも１つの電子供与体化合物および／または少なくとも１つの電子受容体化合物を含む光反応性組成物に関する。
本発明は、その第十七の態様として、前記第十六の態様において、前記一光子光開始剤が、フリーラジカル源を生成するフリーラジカル光開始剤および紫外線または可視線に露光された時に酸を生成するカチオン性光開始剤からなる群から選択される光反応性組成物に関する。
本発明は、その第十八の態様として、前記第十七の態様において、前記フリーラジカル光開始剤が、アセトフェノン、ベンゾフェノン、アリールグリオキサレート、アシルホスフィンオキシド、ベンゾインエーテル、ベンジルケタール、チオキサントン、クロロアルキルトリアジン、ビスイミダゾール、トリアシルイミダゾール、ピリリウム化合物、スルホニウム塩、ヨードニウム塩、メルカプト化合物、キノン、アゾ化合物、有機過酸化物、およびそれらの混合物からなる群から選択され、前記カチオン性光開始剤が、オニウムカチオンと金属またはメタロイドのハロゲン含有錯アニオンとを有するメタロセン塩、有機金属錯カチオンと金属またはメタロイドのハロゲン含有錯アニオンとを有するメタロセン塩、ヨードニウム塩、スルホニウム塩、およびそれらの混合物からなる群から選択される光反応性組成物に関する。
本発明は、その第十九の態様として、前記第一の態様において、前記半導体ナノ粒子量子ドットの前記励起状態と相互作用して少なくとも１つの反応開始種を形成することができる前記組成物が、（１）前記半導体ナノ粒子量子ドットのアップ変換電子発光バンドと重なる電子吸収バンドを有する少なくとも１つの一光子光増感剤と、（２）（ｉ）前記一光子光増感剤の電子励起状態に電子を供与できる、前記一光子光増感剤と異なった少なくとも１つの電子供与体化合物、および（ｉｉ）前記一光子光増感剤の電子励起状態から電子を受容することによって光増感され、少なくとも１つのフリーラジカルおよび／または酸の形成をもたらすことができる少なくとも１つの電子受容体化合物のどちらかまたは両方と、を含む光反応性組成物に関する。
本発明は、その第二十の態様として、前記第十九の態様において、前記電子供与体化合物と前記電子受容体化合物との両方を含む光反応性組成物に関する。
本発明は、その第二十一の態様として、前記第十九の態様において、前記一光子光増感剤が約２５０〜約８００ナノメーターの波長の範囲内の光を吸収することができ、２−メチル−４，６−ビス（トリクロロメチル）−ｓ−トリアジンを増感することができる光反応性組成物に関する。
本発明は、その第二十二の態様として、前記第十九の態様において、前記一光子光増感剤が、ケトン、クマリン染料、キサンテン染料、アクリジン染料、チアゾール染料、チアジン染料、オキサジン染料、アジン染料、アミノケトン染料、ポルフィリン、芳香族多環式炭化水素、ｐ置換アミノスチリルケトン化合物、アミノトリアリールメタン、メロシアニン、スクアリリウム染料、シアニン染料、ピリジニウム染料、およびそれらの混合物からなる群から選択される光反応性組成物に関する。
本発明は、その第二十三の態様として、前記第十九の態様において、前記一光子光増感剤が、キサンテン染料、シアニン染料、ケトン、ケトクマリン、アミノアリールケトン、ｐ置換アミノスチリルケトン化合物、およびそれらの混合物からなる群から選択される光反応性組成物に関する。
本発明は、その第二十四の態様として、前記第十九の態様において、前記一光子光増感剤が、ローズベンガル、３−メチル−２−［（１Ｅ，３Ｅ）−３−（３−メチル−１，３−ベンゾチアゾール−２（３Ｈ）−イリデン）プロプ−１−エニル］−１，３−ベンゾチアゾール−３−イウムヨージド、カンファキノン、グリオキサール、ビアセチル、３，３，６，６−テトラメチルシクロへキサンジオン、３，３，７，７−テトラメチル−１，２−シクロヘプタンジオン、３，３，８，８−テトラメチル−１，２−シクロオクタンジオン、３，３，１８，１８−テトラメチル−１，２−シクロオクタデカンジオン、ジピバロイル、ベンジル、フリル、ヒドロキシベンジル、２，３−ブタンジオン、２，３−ペンタンジオン、２，３−へキサンジオン、３，４−へキサンジオン、２，３−ヘプタンジオン、３，４−ヘプタンジオン、２，３−オクタンジオン、４，５−オクタンジオン、１，２−シクロへキサンジオン、およびそれらの混合物からなる群から選択される光反応性組成物に関する。
本発明は、その第二十五の態様として、前記第十六または十九の態様において、前記電子供与体化合物が、ゼロより大きくｐ−ジメトキシベンゼンの酸化ポテンシャル以下である酸化ポテンシャルを有する光反応性組成物に関する。
本発明は、その第二十六の態様として、前記第十六または十九の態様において、前記電子供与体化合物が、標準飽和カロメル電極に対して約０．３〜２ボルトの酸化ポテンシャルを有する光反応性組成物に関する。
本発明は、その第二十七の態様として、前記第十六または十九の態様において、前記電子供与体化合物が、アミン、アミド、エーテル、尿素、スルフィン酸およびそれらの塩、フェロシアン化物の塩、アスコルビン酸およびその塩、ジチオカルバミド酸およびその塩、キサンテートの塩、エチレンジアミンテトラ酢酸の塩、（アルキル）n（アリール）mボレート（ｎ＋ｍ＝４）の塩、ＳｎＲ4化合物（各Ｒが独立に、アルキル、アラルキル、アリール、およびアルカリール基からなる群から選択される）、フェロセン、およびそれらの混合物からなる群から選択される光反応性組成物に関する。
本発明は、その第二十八の態様として、前記第二十七の態様において、前記電子供与体化合物が、１つ以上のジュロリジニル部分を含有するアミン、アルキルアリールボレート塩、芳香族スルフィン酸の塩、４−ジメチルアミノ安息香酸、エチル４−ジメチルアミノベンゾエート、３−ジメチルアミノ安息香酸、４−ジメチルアミノベンゾイン、４−ジメチルアミノベンズアルデヒド、４−ジメチルアミノベンゾニトリル、４−ジメチルアミノフェネチルアルコール、１，２，４−トリメトキシベンゼン、およびそれらの混合物からなる群から選択される光反応性組成物に関する。
本発明は、その第二十九の態様として、前記第十六または十九の態様において、前記電子供与体化合物を含有しない光反応性組成物に関する。
本発明は、その第三十の態様として、前記第十六または十九の態様において、前記電子受容体化合物が、ヨードニウム塩、スルホニウム塩、ジアゾニウム塩、アジニウム塩、クロロメチル化トリアジン、トリアリールイミダゾリルダイマー、およびそれらの混合物からなる群から選択される光反応性組成物に関する。
本発明は、その第三十一の態様として、前記第三十の態様において、前記電子受容体化合物が、ヨードニウム塩、クロロメチル化トリアジン、トリアリールイミダゾリルダイマー、スルホニウム塩、ジアゾニウム塩、およびそれらの混合物からなる群から選択される光反応性組成物に関する。
本発明は、その第三十二の態様として、前記第三十一の態様において、前記電子受容体化合物が、アリールヨードニウム塩、クロロメチル化トリアジン、２，４，５−トリフェニルイミダゾリルダイマー、およびそれらの混合物からなる群から選択される光反応性組成物に関する。
本発明は、その第三十三の態様として、前記第一の態様において、前記反応性種を約５％〜約９９．７９重量％、前記半導体ナノ粒子量子ドットを約０．０１％〜約１０重量％、および前記半導体ナノ粒子量子ドットの前記励起状態と相互作用して少なくとも１つの反応開始種を形成することができる組成物を約０．１％〜約１５重量％で含む光反応性組成物に関する。
本発明は、その第三十四の態様として、（ａ）ラジカル開始化学反応を受けることができる少なくとも１つの硬化性種と、（ｂ）（１）２つ以上の光子の同時吸収によって達成可能である少なくとも１つの電子励起状態を有する少なくとも１つのコアー／シェル半導体ナノ粒子量子ドットと、（２）前記半導体ナノ粒子量子ドットの前記励起状態と相互作用して少なくとも１つの反応開始種を形成することができる組成物と、の光化学的に有効な量を含む光開始剤系と、を含む光反応性組成物に関する。
本発明は、その第三十五の態様として、前記第三十四の態様において、前記半導体ナノ粒子量子ドットの前記励起状態と相互作用して少なくとも１つの反応開始種を形成することができる組成物が、（ａ）前記半導体ナノ粒子量子ドットのアップ変換電子発光バンドと重なる電子吸収バンドを有する少なくとも１つの一光子光開始剤、または（ｂ）少なくとも１つの電子供与体化合物および／または少なくとも１つの電子受容体化合物を含む光反応性組成物に関する。
本発明は、その第三十六の態様として、前記第三十四の態様において、前記半導体ナノ粒子量子ドットの前記励起状態と相互作用して少なくとも１つの反応開始種を形成することができる組成物が、前記反応性種と異なっている光反応性組成物に関する。
本発明は、その第三十七の態様として、前記第一、二、または三十四の態様の光反応性組成物の反応から得られる組成物に関する。
本発明は、その第三十八の態様として、前記第三十七の態様の組成物を含む物品に関する。